(57)【要約】【課題】チャタリングやリピーティングが発生しても、適切な表示状態を獲得できるアラーム情報表示装置およびアラーム情報表示方法を提供する。【解決手段】格納手段３１は、プラントで発生したアラーム情報を当該アラーム情報の発生元と対応付けて順次格納する。表示手段３２は、格納手段３１に格納されるアラーム情報を、発生時の時系列順にリアルタイムに表示する。展開手段３３は、表示手段３２による表示上での指示を受け付けることにより、発生元についてのアラーム情報の履歴を発生時の時系列順に展開表示する。【選択図】図１
2008020984.tif 000002
【特許請求の範囲】
【請求項１】
プラントで発生したアラーム情報を表示するアラーム情報表示装置において、
プラントで発生したアラーム情報を当該アラーム情報の発生元と対応付けて順次格納する格納手段と、
前記格納手段に格納されるアラーム情報を、発生時の時系列順にリアルタイムに表示する表示手段と、
を備え、
前記表示手段は、前記格納手段を検索して、前記発生元ごとに最新のアラーム情報のみを更新表示することを特徴とするアラーム情報表示装置。
【請求項２】
前記表示手段による表示上での指示を受け付けることにより、前記発生元についての前記アラーム情報の履歴を発生時の時系列順に展開表示する展開手段を備えることを特徴とする請求項１に記載のアラーム情報表示装置。
【請求項３】
前記格納手段に格納され、前記表示手段により表示可能とされるアラーム情報の数が、その発生元ごとに所定数に制限されることを特徴とする請求項１または２に記載のアラーム情報表示装置。
【請求項４】
プラントで発生したアラーム情報を表示するアラーム情報表示方法において、
プラントで発生したアラーム情報を当該アラーム情報の発生元と対応付けて順次格納するステップと、
格納される前記アラーム情報を、発生の時系列順にリアルタイムに表示するステップと、
を備え、
前記表示するステップでは、格納された前記アラーム情報を検索して、前記発生元ごとに最新のアラーム情報のみを更新表示することを特徴とするアラーム情報表示方法。
【発明の詳細な説明】
【技術分野】
【０００１】
本発明は、プラントで発生したアラーム情報を表示するアラーム情報表示装置およびアラーム情報表示方法に関し、とくに表示内容が認識しやすいアラーム情報表示装置およびアラーム情報表示方法に関する。
【背景技術】
【０００２】
プラントで発信されたアラーム情報を表示するシステムとして、アラーム情報を示すメッセージをリアルタイムに画面表示するシステムが知られている。このようなシステムでは、例えば、最新のアラーム情報から古いアラーム情報まで最上段から順に表示するようにしている。新たなアラーム情報を受信すると、画面の最上段（先頭行）に最新のアラームが挿入され、残りのアラーム情報が１段ずつ下方にスクロールされる。画面表示できるアラーム情報の個数は限られているため、確認されたアラーム情報を優先的に削除するとともに、表示しきれなくなったアラーム情報は発信日時が古い順に画面の下方から削除されることになる。
【０００３】
システムが自動的に不要なアラームを特定してこれを抑制する機能を備えたアラーム管理システムを示したものとして、例えば特許文献１に記載されたものがある。
【０００４】
【特許文献１】特開２００５−８４７７４号公報
【発明の開示】
【発明が解決しようとする課題】
【０００５】
しかし、従来のシステムでは、アラームのチャタリングあるいはリピーティングが発生した場合に表示上の不都合が生じるという問題がある。図５に示すように、チャタリングはアラーム検知のための閾値近傍でのプロセスデータ値の変動等に基づいて発生する現象であり、チャタリングによりアラーム発生と復帰の間で状態が頻繁に切り替わる。このような場合には、アラーム発生を知らせるアラーム情報と、アラームからの復帰を知らせるアラーム情報とが、短時間で交互に繰り返し発信されるため、短時間で画面の表示領域を使い切ってしまう。このため、その他の発信元のアラーム情報が下方にスクロールされ、削除されてしまうため、これらのアラーム情報が確認できなくなる可能性がある。
【０００６】
また、リピーティングとは、所定時間にわたり所定の事象が継続する場合にアラームを発生するロジックを用いた場合に、この事象の継続によりアラーム発生を知らせるアラーム情報が繰り返し発信される現象である。リピーティングの場合にも、短時間に多数のアラーム情報が発信される可能性があるため、チャタリングと同様の問題が発生しうる。
【０００７】
本発明の目的は、チャタリングやリピーティングが発生しても、適切な表示状態を獲得できるアラーム情報表示装置およびアラーム情報表示方法を提供することにある。
【課題を解決するための手段】
【０００８】
本発明のアラーム情報表示装置は、プラントで発生したアラーム情報を表示するアラーム情報表示装置において、プラントで発生したアラーム情報を当該アラーム情報の発生元と対応付けて順次格納する格納手段と、前記格納手段に格納されるアラーム情報を、発生時の時系列順にリアルタイムに表示する表示手段と、を備え、前記表示手段は、前記格納手段を検索して、前記発生元ごとに最新のアラーム情報のみを更新表示することを特徴とする。
このアラーム情報表示装置によれば、発生元ごとに最新のアラーム情報のみを更新表示するので、チャタリングやリピーティングが発生しても、他のアラーム情報を継続表示できる。
【０００９】
前記表示手段による表示上での指示を受け付けることにより、前記発生元についての前記アラーム情報の履歴を発生時の時系列順に展開表示する展開手段を備えてもよい。
【００１０】
前記格納手段に格納され、前記表示手段により表示可能とされるアラーム情報の数が、その発生元ごとに所定数に制限されてもよい。
【００１１】
本発明のアラーム情報表示方法は、プラントで発生したアラーム情報を表示するアラーム情報表示方法において、プラントで発生したアラーム情報を当該アラーム情報の発生元と対応付けて順次格納するステップと、格納される前記アラーム情報を、発生の時系列順にリアルタイムに表示するステップと、を備え、前記表示するステップでは、格納された前記アラーム情報を検索して、前記発生元ごとに最新のアラーム情報のみを更新表示することを特徴とする。
このアラーム情報表示方法によれば、発生元ごとに最新のアラーム情報のみを更新表示するので、チャタリングやリピーティングが発生しても、他のアラーム情報を継続表示できる。
【発明の効果】
【００１２】
本発明のアラーム情報表示装置によれば、発生元ごとに最新のアラーム情報のみを更新表示するので、チャタリングやリピーティングが発生しても、他のアラーム情報を継続表示できる。
【００１３】
本発明のアラーム情報表示方法によれば、発生元ごとに最新のアラーム情報のみを更新表示するので、チャタリングやリピーティングが発生しても、他のアラーム情報を継続表示できる。
【発明を実施するための最良の形態】
【００１４】
以下、図１〜図４を参照して、本発明によるアラーム情報表示装置の一実施形態について説明する。
【００１５】
図１は、本実施形態のアラーム情報表示装置が用いられるプラント制御システムの構成例を示すブロック図である。
【００１６】
図１に示すように、プラント制御システムは、プラント各部に分散配置され、フィールド機器１，１，・・・を制御するフィールドコントローラ２，２，・・・と、プラント制御システムを介してアラーム情報を取得し、これを表示する端末装置３と、を備える。フィールドコントローラ２，２，・・・および端末装置３は、通信回線４を介して互いに接続されている。
【００１７】
図１に示すように、端末装置３は、プラントで発生したアラーム情報を当該アラーム情報の発生元と対応付けて順次格納する格納手段３１と、格納手段３１に格納されるアラーム情報を、発生時の時系列順にリアルタイムに表示する表示手段３２と、表示手段３２による表示上での指示を受け付けることにより、発生元についてのアラーム情報の履歴を発生時の時系列順に展開表示する展開手段３３と、を構成する。
【００１８】
図２は、端末装置３の格納手段３１の動作手順を示すフローチャートである。
【００１９】
格納手段３１は、プラント各部から発信されたアラーム情報を受信し、これを格納する。図２のステップＳ１では、格納手段３１は、アラーム情報が受信されるのを待って、ステップＳ２へ進む。アラーム情報には、アラーム内容を示すメッセージおよびアラーム情報の発信元が含まれる。また、アラーム情報には発信日時が含まれる。
【００２０】
ステップＳ２では、アラーム情報の発信元に対応するペアリングキー（識別子）を生成し、ペアリングキーを受信されたメッセージに付加する。アラーム情報の発信元はフィールド機器１やフィールド機器１が保有するパラメータに対応付けられたタグ名やスロット番号として認識される。
【００２１】
次に、ステップＳ３では、ステップＳ２で生成されたペアリングキーが付加されたメッセージの格納数をカウントし、保持すべきメッセージ数（例えば、１０個）をカウント数が上回っているか否か判断する。判断が肯定されればステップＳ４へ進み、判断が否定されればステップＳ５へ進む。ここでは、例えば、上記ペアリングキーにより特定される特定フィールド機器１あるいはフィールド機器１が保有する特定のパラメータに関するメッセージが格納手段３１に格納されている個数を監視している。
【００２２】
ステップＳ４では、格納手段３１から、上記ペアリングキーが付加されたメッセージのうち、最も発信日時の古いメッセージを削除し、ステップＳ５へ進む。これにより、格納手段３１に格納されたメッセージ数が発信元単位で制限される。
【００２３】
ステップＳ５では、ステップＳ１で受信されたアラーム情報のメッセージを、ステップＳ２で生成されたペアリングキーおよび上記発信日時と対応付けて格納手段３１に格納し、ステップＳ１へ戻る。
【００２４】
次に、表示手段３２の動作について説明する。図３は、表示手段３２による表示例を示す図である。表示手段３２は、格納手段３１に格納されたアラーム情報をリアルタイムに検索し、発信日時が最新のアラーム情報を端末装置３の画面上に更新表示する。
【００２５】
図３（ａ）〜図３（ｃ）は、新たなアラーム情報が順次受信された場合における表示の変化を示している。例えば、図３（ａ）では、画面の最上段（先頭行）に、発信日時が「０６／０３／１３（月）１８：１９：４６」であり、「ＮＺＰＩＤ１」として特定される発信元からのアラーム情報が示される。ここでは、アラーム発生を通知するメッセージ５１Ａが表示されている。
【００２６】
図３（ｂ）は、その直後の表示を示しており、画面の最上段には、「ＮＺＰＩＤ１」として特定される発信元についてアラーム状態からの復帰を示すメッセージ５１Ｂが表示されている。
【００２７】
図３（ｃ）は、さらにその直後の表示を示しており、画面の最上段には、「ＮＺＰＩＤ１」として特定される発信元について再びアラーム発生を通知するメッセージ５１Ｃが表示されている。
【００２８】
このように、本実施形態のアラーム情報表示装置では、最新のメッセージが画面の最上段に順次表示されるが、同一発信元のアラーム情報が連続して受信された場合には、前回のメッセージに代えて新たなメッセージを更新表示する。このため、他のメッセージ（例えば、図３（ａ）〜図３（ｃ）のメッセージ５２）がスクロールされることなく、チャタリングあるいはリピーティングが発生した場合であっても、その発信元についてのメッセージが入れ替わるだけで、表示が上から下に流れることはない。したがって、チャタリングあるいはリピーティングが発生していない他の発信元についてのアラーム状態を容易に確認することができる。
【００２９】
次に、展開手段３２の動作について説明する。図４は展開手段３２による表示画面を例示する図である。
【００３０】
図３（ｃ）の画面表示において、メッセージ５１Ｃの先頭に表示されたアイコン５３Ａをクリックすると、展開手段３２は対応するペアリングキーを検索キーとして、格納手段３１から特定の発信元（「ＮＺＰＩＤ１」として特定される発信元）のメッセージを取得し、端末装置３の画面に表示する。
【００３１】
このとき、図４（ａ）に示すように、アイコン５３Ａがアイコン５３Ｂに表示を変え、「ＮＺＰＩＤ１」として特定される発信元からのアラーム情報の履歴を示すメッセージ群５５が、メッセージ５１Ｃの下側に発信日時順に展開表示される。他のメッセージ（例えば、メッセージ５２）の表示位置は、メッセージ群５５の下方にシフトされる。
【００３２】
このように、本実施形態のアラーム情報表示装置では、発信元ごとにメッセージを展開表示させることで、その発信元のアラーム状態を容易に確認することができる。例えば、図４に示すようにアラームの発生と復帰を交互に繰り返していればチャタリングと判断できるとともに、チャタリング状態を容易に確認できる。また、アラームの発生を知らせる同一メッセージが繰り返されていれば、リピーティングが発生していると判断でき、そのリピーティング状態を容易に確認できる。
【００３３】
図４（ａ）の表示状態でチャタリングあるいはリピーティングが継続している場合、図４（ｂ）に示すように、最新のアラーム情報はメッセージ５１Ｄとして表示され、メッセージ群５５に含まれる最も古いメッセージ５５ａは削除される。メッセージ群５５に表示されるメッセージは、格納手段３１に格納されているメッセージに対応しており、図２の手順で示したように、表示されるメッセージ数は一定数に制限される。したがって、図４（ａ）の状態で、「ＮＺＰＩＤ１」として特定される発信元からの新たなアラーム情報が受信された場合には、メッセージ５１Ｄが更新されるとともに、メッセージ群５５の表示内容が１つずつシフトされるが、これらのメッセージの表示領域は変わらない。このため、チャタリングあるいはリピーティングが発生している間、他の発信元についてのメッセージはスクロールされず、容易に確認できる。
【００３４】
一方、図４（ａ）の表示状態から、アイコン５３Ｂをクリックすると、メッセージ群５５が折り畳まれ、図３（ｃ）の表示形態に戻る。このように、同一発信元のメッセージを１つのグループとして取り扱うことで、最新メッセージのみを表示する形態と、メッセージの履歴を展開表示する形態との間で、表示形態を自由に切り替えることが可能となる。
【００３５】
以上説明したように、本発明のアラーム情報表示装置によれば、発生元ごとに最新のアラーム情報のみを更新表示するので、チャタリングやリピーティングが発生しても、他のアラーム情報を継続表示できる。また、発生元ごとにメッセージを展開表示させることにより、チャタリングやリピーティングの状態を容易に確認できる。
【００３６】
本発明の適用範囲は上記実施形態に限定されることはない。本発明は、プラントで発生したアラーム情報を表示するアラーム情報表示装置およびアラーム情報表示方法に対し、広く適用することができる。
【図面の簡単な説明】
【００３７】
【図１】本実施形態のアラーム情報表示装置が用いられるプラント制御システムの構成例を示すブロック図。
【図２】格納手段の動作手順を示すフローチャート。
【図３】表示手段による表示例を示す図。
【図４】展開手段による表示画面を例示する図。
【図５】チャタリングの発生状況を示す図である。
【符号の説明】
【００３８】
３      端末装置
３１    格納手段
３２    表示手段
３３    展開手段
【図１】
2008020984.tif 000003
【図２】
2008020984.tif 000004
【図３】
2008020984.tif 000005
【図４】
2008020984.tif 000006
【図５】
2008020984.tif 000007